【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
遊技盤の遊技領域に設けられた始動口に遊技球が入球したことを条件として大当たり抽選を行い、その抽選結果に基づいて各種演出を行う遊技機であって、
前記遊技盤の遊技領域に対して遊技球を発射する発射手段と、
遊技者によって操作された場合に前記発射手段に対して遊技球の発射動作を行わせる発射操作部と、
前記大当たり抽選の結果に応じてリーチ演出を含む各種の演出を行う演出制御手段と、
を備え、
前記演出制御手段は、前記大当たり抽選において大当たりに当選している場合、前記発射操作部が遊技者によって操作された発射操作状態であれば、大当たり確定演出を発動させることを特徴とする遊技機。
【請求項２】
前記演出制御手段は、前記大当たり抽選において大当たりに当選している場合、前記発射操作部が遊技者によって操作された発射操作状態であれば、前記リーチ演出の途中で大当たり確定演出を発動させることを特徴とする請求項１に記載の遊技機。
【請求項３】
前記大当たり抽選の結果に応じた装飾図柄を表示する画像表示器を更に備え、
前記演出制御手段は、前記大当たり抽選の結果が大当たりに当選している場合、前記画像表示器による装飾図柄の変動表示を開始させた後の所定期間において前記発射操作部が遊技者によって操作された発射操作状態であることを検知することを条件として大当たり確定演出を発動させることを特徴とする請求項１に記載の遊技機。
【請求項４】
前記演出制御手段は、前記所定期間において前記発射操作状態が所定時間以上であることを検知した場合に大当たり確定演出を発動させることを特徴とする請求項３に記載の遊技機。
【請求項５】
遊技盤の遊技領域に設けられた始動口に遊技球が入球したことを条件として大当たりの抽選を行い、図柄の変動表示を開始して所定時間経過後に該変動表示を前記大当たり抽選の結果に応じた図柄で停止させると共に、図柄の変動表示中に各種演出を行う遊技機であって、
前記遊技領域に対して遊技球を発射する発射手段と、
遊技者によって操作された場合に前記発射手段に対して遊技球の発射動作を行わせる発射操作部と、
前記始動口に遊技球が入球したことを条件として大当たり抽選のための遊技データを取得する遊技データ取得手段と、
図柄の変動表示中に前記始動口に遊技球が入球した個数を記憶して、当該入球に基づく図柄の変動表示を保留する変動表示保留手段と、
前記変動表示保留手段に遊技球の入球が記憶されたとき、当該入球に基づく図柄の変動表示の開始前に、前記遊技データ取得手段により取得された遊技データの事前判定を行い、該事前判定の結果に基づいて前記変動表示保留手段における保留数分に対応した複数回の図柄の変動表示にわたって実行する連続演出を設定する連続演出設定手段と、
前記連続演出を複数回の図柄の変動表示にわたって実行する連続演出実行手段と、
前記連続演出設定手段における判定結果が大当たりに当選しており、且つ、前記連続演出設定手段により前記連続演出が設定された場合、前記連続演出実行手段により前記連続演出の実行が開始された後の所定期間において前記発射操作部が遊技者によって操作された発射操作状態であることを条件として、前記連続演出のうちの最後の演出が行われる図柄の変動表示の途中で、大当たりに当選したことを報知する大当たり確定演出を発動させる大当たり確定演出実行手段と、
を備えることを特徴とする遊技機。
【請求項６】
前記所定期間は、前記連続演出が実行される複数回の図柄の変動表示のそれぞれに対して設定され、
前記大当たり確定演出実行手段は、前記連続演出が実行される複数回の図柄の変動表示のそれぞれに設定された前記所定期間において前記発射操作部が遊技者によって操作された発射操作状態であることを検知した場合、大当たり確定演出を発動させることを特徴とする請求項５に記載の遊技機。
【請求項７】
前記大当たり確定演出実行手段は、前記連続演出のうちの最後の演出が行われる図柄の変動表示がリーチ演出に移行した後、そのリーチ演出の途中で、大当たり確定演出を発動させることを特徴とする請求項５又は６に記載の遊技機。
【請求項８】
前記大当たり確定演出実行手段は、前記所定期間において前記発射操作状態が所定時間以上であることを検知した場合に大当たり確定演出を発動させることを特徴とする請求項５乃至７のいずれかに記載の遊技機。
【請求項９】
前記演出制御手段又は前記大当たり確定演出実行手段は、前記大当たり確定演出において所定の発光手段を点灯又は点滅させることを特徴とする請求項１乃至８のいずれかに記載の遊技機。
【請求項１０】
前記発光手段は、前記発射操作部の内側に設けられ、前記大当たり確定演出でのみ点灯又は点滅することを特徴とする請求項９に記載の遊技機。
【手続補正２】
【補正対象書類名】明細書
【補正対象項目名】００１３
【補正方法】変更
【補正の内容】
【００１３】
上記目的を達成するため、請求項１にかかる発明は、遊技盤の遊技領域に設けられた始動口に遊技球が入球したことを条件として大当たり抽選を行い、その抽選結果に基づいて各種演出を行う遊技機であって、前記遊技盤の遊技領域に対して遊技球を発射する発射手段と、遊技者によって操作された場合に前記発射手段に対して遊技球の発射動作を行わせる発射操作部と、前記大当たり抽選の結果に応じてリーチ演出を含む各種の演出を行う演出制御手段と、を備え、前記演出制御手段は、前記大当たり抽選において大当たりに当選している場合、前記発射操作部が遊技者によって操作された発射操作状態であれば、大当たり確定演出を発動させることを特徴としている。
また請求項２にかかる発明は、請求項１記載の遊技機において、前記演出制御手段は、前記大当たり抽選において大当たりに当選している場合、前記発射操作部が遊技者によって操作された発射操作状態であれば、前記リーチ演出の途中で大当たり確定演出を発動させることを特徴としている。
更に請求項３にかかる発明は、請求項１記載の遊技機において、前記大当たり抽選の結果に応じた装飾図柄を表示する画像表示器を更に備え、前記演出制御手段は、前記大当たり抽選の結果が大当たりに当選している場合、前記画像表示器による装飾図柄の変動表示を開始させた後の所定期間において前記発射操作部が遊技者によって操作された発射操作状態であることを検知することを条件として大当たり確定演出を発動させることを特徴としている。
また請求項４にかかる発明は、請求項３記載の遊技機において、前記演出制御手段は、前記所定期間において前記発射操作状態が所定時間以上であることを検知した場合に大当たり確定演出を発動させることを特徴としている。
更に請求項５にかかる発明は、遊技盤の遊技領域に設けられた始動口に遊技球が入球したことを条件として大当たりの抽選を行い、図柄の変動表示を開始して所定時間経過後に該変動表示を前記大当たり抽選の結果に応じた図柄で停止させると共に、図柄の変動表示中に各種演出を行う遊技機であって、前記遊技領域に対して遊技球を発射する発射手段と、遊技者によって操作された場合に前記発射手段に対して遊技球の発射動作を行わせる発射操作部と、前記始動口に遊技球が入球したことを条件として大当たり抽選のための遊技データを取得する遊技データ取得手段と、図柄の変動表示中に前記始動口に遊技球が入球した個数を記憶して、当該入球に基づく図柄の変動表示を保留する変動表示保留手段と、前記変動表示保留手段に遊技球の入球が記憶されたとき、当該入球に基づく図柄の変動表示の開始前に、前記遊技データ取得手段により取得された遊技データの事前判定を行い、該事前判定の結果に基づいて前記変動表示保留手段における保留数分に対応した複数回の図柄の変動表示にわたって実行する連続演出を設定する連続演出設定手段と、前記連続演出を複数回の図柄の変動表示にわたって実行する連続演出実行手段と、前記連続演出設定手段における判定結果が大当たりに当選しており、且つ、前記連続演出設定手段により前記連続演出が設定された場合、前記連続演出実行手段により前記連続演出の実行が開始された後の所定期間において前記発射操作部が遊技者によって操作された発射操作状態であることを条件として、前記連続演出のうちの最後の演出が行われる図柄の変動表示の途中で、大当たりに当選したことを報知する大当たり確定演出を発動させる大当たり確定演出実行手段と、を備えることを特徴としている。
【手続補正３】
【補正対象書類名】明細書
【補正対象項目名】００１５
【補正方法】変更
【補正の内容】
【００１５】
また請求項６にかかる発明は、請求項５記載の遊技機において、前記所定期間は、前記連続演出が実行される複数回の図柄の変動表示のそれぞれに対して設定され、前記大当たり確定演出実行手段は、前記連続演出が実行される複数回の図柄の変動表示のそれぞれに設定された前記所定期間において前記発射操作部が遊技者によって操作された発射操作状態であることを検知した場合、大当たり確定演出を発動させることを特徴としている。
【手続補正４】
【補正対象書類名】明細書
【補正対象項目名】００１６
【補正方法】変更
【補正の内容】
【００１６】
また請求項７にかかる発明は、請求項５又は６に記載の遊技機において、前記大当たり確定演出実行手段は、前記連続演出のうちの最後の演出が行われる図柄の変動表示がリーチ演出に移行した後、そのリーチ演出の途中で、大当たり確定演出を発動させることを特徴としている。
【手続補正５】
【補正対象書類名】明細書
【補正対象項目名】００１７
【補正方法】変更
【補正の内容】
【００１７】
また請求項８にかかる発明は、請求項５乃至７のいずれかに記載の遊技機において、前記大当たり確定演出実行手段は、前記所定期間において前記発射操作状態が所定時間以上であることを検知した場合に大当たり確定演出を発動させることを特徴としている。
【手続補正６】
【補正対象書類名】明細書
【補正対象項目名】００１８
【補正方法】変更
【補正の内容】
【００１８】
また請求項９にかかる発明は、請求項１乃至８のいずれかに記載の遊技機において、前記演出制御手段又は前記大当たり確定演出実行手段は、前記大当たり確定演出において所定の発光手段を点灯又は点滅させることを特徴としている。
【手続補正７】
【補正対象書類名】明細書
【補正対象項目名】００１９
【補正方法】変更
【補正の内容】
【００１９】
また請求項１０にかかる発明は、請求項９記載の遊技機において、前記発光手段は、前記発射操作部の内側に設けられ、前記大当たり確定演出でのみ点灯又は点滅することを特徴としている。
【手続補正８】
【補正対象書類名】明細書
【補正対象項目名】００２０
【補正方法】変更
【補正の内容】
【００２０】
本発明にかかる遊技機によれば、大当たり抽選において大当たりに当選している場合、発射操作部が遊技者によって操作された発射操作状態であれば、大当たり確定演出を発動させる。大当たり確定演出は遊技者が最も期待する演出であるため、遊技者は、発射操作部から手を離さずに、遊技を継続するようになり、遊技機の稼働率を向上させることができるようになる。